(57)【要約】構造物（６）に対して使用するための水平命綱ケ−ブル用端末装置は、ケーブル（４）の端部分を囲繞する編みワイヤ形状の細長いストッキング（１４）を包含する。このストッキング（１４）は、前記構造物（６）に取り付けられて接続された第１の端（２２）と、前記ケーブル（４）に取り付けられた第２の端（２８）とを有する。張力が前記ケーブル（４）に加えられることにより、前記ストッキング（１４）の伸長及びそれ故前記ケーブル（４）への引き締めが生じ、これにより前記ケーブル（４）が前記ストッキング（１４）によりしっかりとグリップされる。
2004522477.tif 000002
【特許請求の範囲】
【請求項１】
構造物（６）に対して使用するための水平命綱ケ−ブル用端末装置において、ケーブル（４）の端部分を囲繞する編みワイヤ形状の細長いストッキング（１４）を包含し、このストッキング（１４）が前記構造物（６）に取り付けられて接続された第１の端（２２）と前記ケーブル（４）に取り付けられた第２の端（２８）とを有し、張力が前記ケーブル（４）に加えられることにより前記ストッキング（１４）の伸長及びそれ故前記ケーブル（４）への引き締めが生じ、これにより前記ケーブル（４）が前記ストッキング（１４）によりしっかりとグリップされることを特徴とする端末装置。
【請求項２】
請求項１記載の端末装置において、前記ケーブル（４）が例えばポリエステルファイバのような合成プラスチックスファイバから成ることを特徴とする端末装置。
【請求項３】
請求項２記載の端末装置において、前記ファイバが例えばネオプレンのようなジャケット内に入れられているバンドルの形であることを特徴とする端末装置。
【請求項４】
請求項１〜３のいずれか一項に記載の端末装置において、前記ストッキング（１４）がステンレス鋼から成ることを特徴とする端末装置。
【請求項５】
請求項１〜４のいずれか一項に記載の端末装置において、前記ストッキング（１４）が編みワイヤから成ることを特徴とする端末装置。
【請求項６】
請求項１〜５のいずれか一項に記載の端末装置において、前記ストッキング（１４）が、その第２の端（２８）に隣接する一層編み形状の部分（１６）と、この部分（１６）に連続して配置されている多層編み形状のひとつ又はそれ以上の部分（１８，２０）とを包含することを特徴とする端末装置。
【請求項７】
請求項６記載の端末装置において、前記多層編み形状の部分が二層編み形状の部分（１８）とこれに続く三層編み形状の部分（２０）とを包含することを特徴とする端末装置。
【請求項８】
請求項１〜７のいずれか一項に記載の端末装置において、前記ストッキング（１４）の第２の端（２８）が例えばステンレス鋼の金属タイ（３２）の手段により前記ケーブル（４）に取り付けられていることを特徴とする端末装置。
【請求項９】
請求項１〜８のいずれか一項に記載の端末装置において、例えば熱収縮可能なプラスチックス材料のスリーブ（３４）が前記ストッキング（１４）の第２の端（２８）と前記ケーブル（４）との連結部を囲繞及びオーバラップして設けられていることを特徴とする端末装置。
【請求項１０】
請求項１〜９のいずれか一項に記載の端末装置において、前記ストッキング（１４）の第２の端（２８）が広がることができ、これにより前記ケーブル（４）の端部分が前記ストッキング内への挿入を容易にすることを特徴とする端末装置。
【請求項１１】
請求項１〜１０のいずれか一項に記載の端末装置において、前記ストッキング（１４）の第１の端（２２）に複数のストランドから成る部分（３０）が設けられ、この部分（３０）の隣接し合うストランドが分離することができ、これにより前記ケーブル（４）の長さの調節のために前記ケーブル（４）のグリップされた端部分の自由端（４Ａ）をこれらの隣接し合うストランド間を通過させて前記ストッキング（１４）から出すことができるようにしたことを特徴とする端末装置。
【請求項１２】
請求項１１記載の端末装置において、前記ストランドの各々の一端が例えばすえ込み端末具のような金属シース（２６，４４）内に入れられていることを特徴とする端末装置。
【請求項１３】
請求項１〜１２のいずれか一項に記載の端末装置において、前記ストッキング（１４）の第１の端（２２）が端末手段（２４）に取り付けられ、この端末手段（２４）が前記構造物（６）のブラケット手段に接続されるようになっていることを特徴とする端末装置。
【請求項１４】
請求項１３記載の端末装置において、前記端末手段（２４）が、端末装置に組み込まれて前記構造物（６）に取り付けられたときに前記ケーブル（４）にプレテンションをかける手段（３６）を包含することを特徴とする端末装置。
【請求項１５】
請求項１４記載の端末装置において、前記ケーブル（４）にプレテンションをかける前記手段（３６）がターンバックル装置（３８）を包含することを特徴とする端末装置。
【請求項１６】
請求項１３，１４及び１５のいずれか一項に記載の端末装置において、前記ケーブル（４）の適正なプレテンションを表示する表示手段（４６）を包含することを特徴とする端末装置。
【請求項１７】
請求項１６記載の端末装置において、前記表示手段がディスク（４６）から成り、このディスク（４６）が、前記ケーブル（４）の適正なプレテンションに達したときには前記端末手段の部品上で回転することができるが、前記ケーブルの適正なプレテンション以下では回転することが抑制されていることを特徴とする端末装置。
【発明の詳細な説明】
【技術分野】
【０００１】
本発明は、例えばビルディング構造物のような構造物に対して使用するための水平命綱ケーブルに関し、より詳細には、このようなケーブルのための端末装置に関する。
【背景技術】
【０００２】
水平命綱ケーブルは、ビルディング構造物又は他の構造物の高い所に取り付けられ、このような構造物上で作業する人間が落ちるのを防止するために配備されることは知られている。このような作業員は装着帯（ハーネス）を着用し、この装着帯に命綱の一端が取り付けられ、命綱の他端は取付け装置の手段により水平命綱ケーブルに活動可能に取り付けられる。
【０００３】
水平命綱ケーブルは一般にワイヤをベースとし、これらのケーブルをそれらの端部で例えばビルディングのような構造物に取り付けるためには、これらのケーブルに金属製端末具を設けることが必要とされる。これらの端末具は、これまで、ケーブルが必要長さに切断された後に、現場でケーブルにすえ込む（スウェイジ）ことが必要とされている。これは、複雑な作業であり、まちがって小さな空間を残してしまう。
【０００４】
ワイヤをベースとした水平命綱ケーブルは、他の欠点を有する。すなわち、これらのケーブルは約６〜１０メートルの比較的接近した距離で構造物に支持されることを必要とされる。
【０００５】
ワイヤをベースとしたケーブル装置は、また、高弾性である。その結果、ケーブル装置が上下にはずむと、作業員を落とす又は揺らすケーブルの最大たわみが発生しがちである。
【０００６】
ワイヤをベースとしたケーブルは、更に、研磨性があり、この研磨性はケーブル上を滑動する命綱取付け部品にとっては不利益である。
【０００７】
そこで、ワイヤをベースとしたケーブルを合成プラスチックスファイバから成るケーブルに取り替える試みがなされている。このようなケーブルは、実質的に非研磨性であり、軽量であり、また低伸張及び低動的たるみを呈する。そして、このようなケーブルは、中間の支持なしに、５０メートルまでの距離をかけ渡すことができる。
【発明の開示】
【発明が解決しようとする課題】
【０００８】
本発明の目的は、端末具の現場でのすえ込みを必要とせず、そして特に合成プラスチックスファイバから成るケーブルに適用できる水平命綱ケーブル用末端装置を提供することにある。
【課題を解決するための手段】
【０００９】
本発明によれば、構造物に対して使用するための水平命綱ケ−ブル用端末装置において、ケーブルの端部分を囲繞する編みワイヤ形状の細長いストッキングを包含し、このストッキングが前記構造物に取り付けられて接続された第１の端と前記ケーブルに取り付けられた第２の端とを有し、張力が前記ケーブルに加えられることにより前記ストッキングの伸長及びそれ故前記ケーブルへの引き締めが生じ、これにより前記ケーブルが前記ストッキングによりしっかりとグリップされることを特徴とする端末装置が提供される。
【００１０】
前記構造物は、ビルディングとすることができる。
【００１１】
張力が前記ケーブルに加えられたときの前記ストッキングの伸長及びそれ故前記ケーブルへの引き締めは、また、前記ケーブルに加えられた動荷重を吸収する働きをなし、その結果前記構造物へ加わる動荷重を減少せしめる。
【００１２】
前記ケーブルは、例えばポリエステルファイバのような合成プラスチックスファイバから成ることができる。前記ファイバは、例えばネオプレンのようなジャケット内に入れられているバンドルの形とすることができる。
【００１３】
前記ストッキングは、ステンレス鋼から成ることができる。
【００１４】
前記ストッキングは、編みワイヤから成ることができる。
【００１５】
前記ストッキングは、その第２の端に隣接する一層編み形状の部分と、この部分に連続して配置されている多層編み形状のひとつ又はそれ以上の部分とを包含することができる。前記多層編み形状の部分は、二層編み形状の部分とこれに続く三層編み形状の部分とを包含することができる。
【００１６】
前記ストッキングの第２の端は、例えばステンレス鋼の金属タイの手段により前記ケーブルに取り付けすることができる。
【００１７】
例えば熱収縮可能なプラスチックス材料のスリーブを、前記ストッキングの第２の端と前記ケーブルとの連結部を囲繞及びオーバラップして設けることができる。
【００１８】
前記ストッキングの第２の端は広がることができるようにし、これにより前記ケーブルの端部分が前記ストッキング内への挿入を容易にすることができる。
【００１９】
前記ストッキングの第１の端に複数のストランドから成る部分を設け、この部分の隣接し合うストランドが分離することができるようにし、これにより前記ケーブルの長さの調節のために前記ケーブルのグリップされた端部分の自由端をこれらの隣接し合うストランド間を通過させて前記ストッキングから出すことができるようにすることができる。前記ストランドの各々の一端を、例えばすえ込み端末具のような金属シース内に入れることができる。
【００２０】
前記ストッキングの第１の端は、端末手段に例えばすえ込みにより取り付けることができ、この端末手段は前記構造物のブラケット手段に接続されるようにされる。
【００２１】
前記端末手段は、端末装置に組み込まれて前記構造物に取り付けられたときに前記ケーブルにプレテンションをかける手段を包含することができる。前記ケーブルにプレテンションをかける前記手段は、ターンバックル装置を包含することができる。
【００２２】
前記端末手段は、前記ケーブルの適正なプレテンションを表示する表示手段を包含することができる。前記表示手段はディスクから成ることができ、このディスクは、前記ケーブルの適正なプレテンションに達したときには前記端末手段の部品上で回転することができるが、前記ケーブルの適正なプレテンション以下では回転することが抑制される。
【発明の効果】
【００２３】
要約すると、本発明の端末装置は、これまでは必要であった端末手段へのケーブルの現場でのすえ込みを必要としないで、現場で水平命綱ケーブルに容易に取り付けられる。例えば編みステンレス鋼ワイヤのストッキングは、張力が加えられたときにケーブルをグリップし、また、命綱によってケーブルにつながれている作業員が落ちたことにより動的力が発生したときにおける構造荷重を減少せしめる働きをなす。
【００２４】
ストッキングは、製作中、工場で端末手段にすえ込みされる。
【００２５】
ケーブルの長さは、その端部をストッキングの第１の端に設けられている複数の分離したストランド間から引っ張り出すことにより、簡単かつ容易に調節することができる。
【００２６】
ストッキングがケーブルをグリップする締付けは、ケーブルの張力が増大すると共に増大する。直径が１２ｍｍから１９ｍｍまでの範囲のケーブル寸法が適応でき、また荷重は水平命綱ケーブル装置のための現在の英国の規則による安全率の少なくとも２倍に相当して処理することができる。
【発明を実施するための最良の形態】
【００２７】
本発明を良く理解し、また本発明が実際にどのようにして実施されるかを一層明確に示すために、以下添付図面を参照して本発明の実施例について詳述する。
【００２８】
図１を参照するに、端末装置２は水平命綱ケーブル４のために設けられている。水平命綱ケーブル４は、例えばビルディングのような構造物６の高い所に実質的に水平な配置で取り付けられるようにされている。ケーブル４は、水平命綱装置の一部分として組み込まれたときには、構造物上で作業する人間が落ちるのを防止するように設計されている。作業員８は装着帯を着用しており、この装着帯に命綱１０の一端が取り付けられている。命綱１０の他端にはアタッチメント１２が設けられ、このアタッチメント１２はケーブル４に沿ってスライドして作業員８の動きに適合するように配置される。
【００２９】
ケーブル４の両端は構造物６に取り付けることが必要とされ、その結果ケーブル４はその安全状態にプレテンションがかけられる。
【００３０】
端末装置２には、編みワイヤの形の、編みステンレス鋼ワイヤから成るストッキング１４を包含する。このストッキング１４は、好適には、３つの隣接する部分１６，１８，２０を包含し、各部分はステンレス鋼ワイヤの異なる編み構造を有する。第１の部分１６は一層の編み形状であり、第２の部分１８は二層の編み形状であり、第３の部分２０は三層の編み形状である。
【００３１】
ストッキング１４の第１の端２２は、すえ込み接続具２６を使用して金属製端末具２４に工場で取り付けられている。この金属製端末具２４は、構造物６の適当なブラケット（図示せず）に取り付けられるようにされている。
【００３２】
ケーブル４は、適当には、例えばポリエステルファイバのような合成プラスチックスファイバのバンドルから成り、そして例えばネオプレンのようなジャケット内に入れることができる。
【００３３】
ケーブル４の端部分は、ストッキング１４の第２の端２８からストッキング１４内に入れられる。このストッキング１４の第２の端２８は、広げることができるように作られて、ケーブル４の端部の挿入を容易にする。
【００３４】
ストッキング１４の第１の端２２には、ストッキング材料の複数のストッキングから成る部分３０が設けられている。この部分３０の隣接し合うストランドは、分離可能であり、これにより、ケーブル４の端部４Ａをストッキング１４の第２の端２８からストッキング１４内を通して押した後にこれらのストッキング間を通過させてストッキング１４から出すことができるようにする。これは、ケーブル４の長さを要求にしたがって調節できることを可能にする。また、ケーブル４の端部４Ａが部分３０内に見えるように表示することは、ケーブル４がストッキング１４内に最小必要距離挿入されていることを表す。
【００３５】
ストッキング１４の第２の端２８は、例えばストッキング鋼のような金属タイ３２の手段によりケーブル４に取り付けられている。
【００３６】
例えば熱収縮可能なプラスチックス材料のスリーブ３４は、ストッキング１４の第２の端２８とケーブル４との間の連結部をオーバラップして配設されている。
【００３７】
端末装置２は構造物６に取り付けられ、その結果、所定のプレテンションがケーブル４に加えられる。このようなプレテンションが加えられると、ストッキング１４は伸長してケーブル４を引き締め、その結果、ストッキング１４はケーブル４を確実にグリップする。ストッキング１４の漸進的に増加する編みの３つの部分１６，１８及び２０は、ストッキングの漸進的に増加する強さ及びケーブル４に対してのその安全性を与える。
【００３８】
図２は、ストッキング１４の第１の端２２と金属製端末具２４との間に設けられているプレテンション装置３６を示す。このプレテンション装置３６はそれ自体公知の形のターンバックル装置３８を包含し、このターンバックス装置３８は関連するロッド４０，４２と協働し、これらのロッドの少なくともひとつはねじが切られている。プレテンション装置３６は、すえ込み接続具４４（又は金属シース）の手段によりストッキング１４の第１の端２２に工場で取り付けられる。
【００３９】
張力表示ディスク４６は、ロッド４２と端末具２４との境界部に設けられている。プレテンションの適正量よりも小さい張力がケーブル４に存在するときには、ディスク４６はロッド４２上で回転することはできない。ケーブルは、それから、ターンバックル３８を回転することによりプレテンションがかけられる。プレテンションの適正量に達したときには、ディスク４６はロッド４２上で回転することが自由となる。
【００４０】
一例として、図１の端末装置のための適当な装置長さは約１３２０ｍｍであり、また図２の端末装置のための適当な総長さは約１７００ｍｍである。
【００４１】
本発明の端末装置は、多くの利点を有する。すなわち、現場でのいかなるすえ込み作業を必要とすることなしに、ケーブルを、現場で容易に取り付けることができる。また、ケーブル長さ及びケーブルプレテンションの容易な調節を可能にする。更に、１２ｍｍから１９ｍｍまでのケーブル直径の範囲に容易に適応することができる。
【００４２】
張力荷重がケーブル４に加えられたときには、ストッキング１４は伸びて長くなり、ストッキング１４が伸張すればするほど、より強い引き締めがケーブル４をグリップすることになる。このようなストッキング１４の伸びは、作業員がケーブル４から落ちることにより発生する荷重から生ずる動荷重をこのストッキングの伸びが吸収する働きをするので、有益である。そして、動荷重が解放された後は、ストッキング１４はその元の長さに戻り、その目的を果たし続ける。
【００４３】
必要ならば、ストッキング１４はケーブル４の端から取り外して再び組み立てることができ、したがって水平命綱ケーブル装置の部品の交換又はメンテナンスを行うことができるようにする。
【図面の簡単な説明】
【００４４】
【図１】例えばビルディングのような構造物に対して使用するための水平命綱ケーブルのための本発明による端末装置に一実施例の平面図である。
【図２】図１の端末装置の端末手段に対して選択的に適応できるプレテンション装置を備える端末手段の平面図である。
【国際公開パンフレット】
2004522477.tif 000003
2004522477.tif 000004
2004522477.tif 000005
2004522477.tif 000006
2004522477.tif 000007
2004522477.tif 000008
2004522477.tif 000009
2004522477.tif 000010
2004522477.tif 000011
2004522477.tif 000012
2004522477.tif 000013
2004522477.tif 000014
2004522477.tif 000015
2004522477.tif 000016
2004522477.tif 000017
2004522477.tif 000018
2004522477.tif 000019
【国際調査報告】
2004522477.tif 000020
2004522477.tif 000021